(57)【特許請求の範囲】
【請求項１】
第一鍔部、第二鍔部、および前記第一鍔部と前記第二鍔部の間に配置されて第一方向に延びる芯部を有している第一磁性体コアと、
前記芯部に巻き回された第一導線と、
前記第一導線の第一端部が電気的に接続されている第一導電端子と、
前記第一導線の第二端部が電気的に接続されている第二導電端子と、
を備えており、
前記第一導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第二導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第一鍔部の第一部分は、前記第一導電端子の前記第一挟持部と前記第二挟持部の間に挟持されており、
前記第一導電端子の前記爪部は、前記第一鍔部の第一部分に形成された凹部に係合しており、
前記第一導電端子の前記爪部は、前記第一導電端子の前記第一挟持部と前記第二挟持部が前記第二方向および前記第三方向と交差する第四方向に延びる軸線を中心とする撓み変形に加えて前記第三方向に延びる軸線を中心とする撓み変形を可能にする位置に形成されており、
前記第二鍔部の第一部分は、前記第二導電端子の前記第一挟持部と前記第二挟持部の間に挟持されており、
前記第二導電端子の前記爪部は、前記第二鍔部の第一部分に形成された凹部に係合しており、
前記第二導電端子の前記爪部は、前記第二導電端子の前記第一挟持部と前記第二挟持部が前記第二方向および前記第三方向と交差する第四方向に延びる軸線を中心とする撓み変形に加えて前記第三方向に延びる軸線を中心とする撓み変形を可能にする位置に形成されている、
インダクタ。
【請求項２】
前記第一導電端子の爪部の一部と前記第二導電端子の爪部の一部は、前記第四方向に延びる切欠きにより形成されている、
請求項１に記載のインダクタ。
【請求項３】
前記第一導電端子の爪部における前記第一導電端子の中間部から遠い側の端縁は、前記第三方向に対して傾斜しており、
前記第二導電端子の爪部における前記第二導電端子の中間部から遠い側の端縁は、前記第三方向に対して傾斜している、
請求項１または２に記載のインダクタ。
【請求項４】
前記第一鍔部は、前記第一導電端子の前記第一挟持部と前記第二挟持部の少なくとも一方に隣接して前記第三方向に延びるガイド面を有しており、
前記第二鍔部は、前記第二導電端子の前記第一挟持部と前記第二挟持部の少なくとも一方に隣接して前記第三方向に延びるガイド面を有している、
請求項１から３にいずれか一項に記載のインダクタ。
【請求項５】
前記第一方向と前記第三方向は一致している、
請求項４に記載のインダクタ。
【請求項６】
前記芯部に巻き回された第二導線と、
前記第二導線の第一端部が電気的に接続されている第三導電端子と、
前記第二導線の第二端部が電気的に接続されている第四導電端子と、
を備えており、
前記第三導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第四導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第一鍔部の第二部分は、前記第三導電端子の前記第一挟持部と前記第二挟持部の間に挟持されており、
前記第三導電端子の前記爪部は、前記第一鍔部の第二部分に形成された凹部に係合しており、
前記第二鍔部の第二部分は、前記第四導電端子の前記第一挟持部と前記第二挟持部の間に挟持されており、
前記第四導電端子の前記爪部は、前記第二鍔部の第二部分に形成された凹部に係合している、
請求項１から５のいずれか一項に記載のインダクタ。
【請求項７】
前記第一鍔部に接合された第一部分と前記第二鍔部に接合された第二部分を有する第二磁性体コアを備えている、
請求項１から６のいずれか一項に記載のインダクタ。
【発明の詳細な説明】
【技術分野】
【０００１】
本発明は、インダクタに関する。
【背景技術】
【０００２】
第一鍔部、第二鍔部、および芯部を有する磁性体コアを備えているインダクタが知られている（例えば、特許文献１を参照）。芯部は、第一鍔部と第二鍔部の間に配置されている。芯部には導線が巻き回されている。当該インダクタは、第一導電端子と第二導電端子を備えている。第一導電端子は、第一鍔部に装着されている。第二導電端子は、第二鍔部に装着されている。導線の一端部は、第一導電端子と電気的に接続されている。導線の他端部は、第二導電端子と電気的に接続されている。
【０００３】
第一導電端子は、第一挟持部と第二挟持部を有している。第一導電端子は、第一鍔部が第一挟持部および第二挟持部の間に挟持されるように装着される。第一挟持部は、第一凸部を有している。第二挟持部は、第二凸部を有している。第一鍔部には、第一凹部と第二凹部が形成されている。第一導電端子が第一鍔部に装着されることにより、第一凸部が第一凹部と係合し、第二凸部が第二凹部と係合する。
【先行技術文献】
【特許文献】
【０００４】
【特許文献１】特開２００６−００４９８９号公報
【発明の概要】
【発明が解決しようとする課題】
【０００５】
第一挟持部は、第一導電端子が第一鍔部に装着されたとき、第一鍔部における第一凹部が形成された面に対向する面を有している。第一凸部は、第一挟持部における当該面に形成されている。第二挟持部は、第一導電端子が第一鍔部に装着されたとき、第一鍔部における第二凹部が形成された面に対向する面を有している。第二凸部は、第二挟持部における当該面に形成されている。
【０００６】
第一挟持部と第二挟持部の間隔は、第一鍔部においてこれらに挟持される部分の寸法とほぼ等しい。したがって、第一導電端子が第一鍔部に装着されるとき、第一凸部と第二凸部は、それぞれ第一凹部と第二凹部に係合する前に、第一鍔部における対向する面上を摺動する。したがって、第一挟持部と第二挟持部の間隔は、第一凸部と第二凸部の高さ分だけ押し広げられる。
【０００７】
電子機器の小型化に伴い、当該電子機器に搭載されるインダクタにも小型化が求められている。第一導電端子も小さくなるため、第一鍔部への装着時に加えられる応力により、第一導電端子が塑性変形しやすくなる。第一導電端子に塑性変形が生ずると、第一鍔部に対する位置決め精度の低下、第一鍔部からの脱落、インダクタの実装部に対するコプラナリティの低下などが生じ、インダクタの信頼性が低下する原因となる。第二導電端子と第二鍔部についても同様である。
【０００８】
よって、本発明は、インダクタに対する小型化の要求に応えつつ、信頼性を向上することを目的とする。
【課題を解決するための手段】
【０００９】
上記の目的を達成するために、本発明がとりうる一態様は、インダクタであって、
第一鍔部、第二鍔部、および前記第一鍔部と前記第二鍔部の間に配置されて第一方向に延びる芯部を有している第一磁性体コアと、
前記芯部に巻き回された第一導線と、
前記第一導線の第一端部が電気的に接続されている第一導電端子と、
前記第一導線の第二端部が電気的に接続されている第二導電端子と、
を備えており、
前記第一導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第二導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に爪部と、
を有しており、
前記第一鍔部の第一部分は、前記第一導電端子の前記第一挟持部と前記第二挟持部の間に挟持されており、
前記第一導電端子の前記爪部は、前記第一鍔部の第一部分に形成された凹部に係合しており、
前記第二鍔部の第一部分は、前記第二導電端子の前記第一挟持部と前記第二挟持部の間に挟持されており、
前記第二導電端子の前記爪部は、前記第二鍔部の第一部分に形成された凹部に係合している。
【００１０】
このような構成によれば、第一導電端子と第二導電端子を第一磁性体コアに装着するとき、第一導電端子と第二導電端子は、第二方向と第三方向を含む面内での撓み変形に加え、当該面と交差する面内での撓み変形が可能とされている。これにより、装着操作により第一導電端子と第二導電端子に加わる応力が分散されやすい。よって、応力集中によって第一導電端子と第二導電端子に塑性変形が生じることを抑制できる。
【００１１】
したがって、爪部と凹部の係合により、第一導電端子と第二導電端子の撓み変形が解消した後も、それぞれの第一挟持部と第二挟持部による第一鍔部の第一部分と第二鍔部の第一部分に対する挟持性が良好に維持される。すなわち、第一導電端子と第一鍔部の第一部分の間、および第二導電端子と第二鍔部の第一部分の間に、がたつきの原因となる隙間が生じにくく、第一導電端子と第二導電端子の位置決め精度が向上する。これにより、インダクタの特性低下が抑制される。とりわけ、第一導電端子と第二導電端子の寸法が小さい場合においても、第一磁性体コアへの装着時における応力に起因する第一導電端子と第二導電端子の塑性変形を抑制できるため、インダクタに対する小型化の要求に応えつつ、信頼性を向上できる。
【００１２】
上記のインダクタは、以下のように構成されうる。
前記第一導電端子の爪部の一部は、前記第一導電端子を前記第二方向および前記第三方向と交差する第四方向に延びる切欠きにより形成されており、
前記第二導電端子の爪部の一部は、前記第二導電端子を前記第二方向および前記第三方向と交差する第四方向に延びる切欠きにより形成されている。
【００１３】
このような構成によれば、第一導電端子の爪部と第二導電端子の爪部は、第二方向に延びる部分に加えて、第四方向に延びる部分を有する。これにより、各爪部は、片持ち梁状に支持される。したがって、撓み変形可能性が向上され、第一磁性体コアへの装着時における応力に起因する第一導電端子と第二導電端子の塑性変形がより抑制される。これにより、第一導電端子と第二導電端子の寸法が小さい場合においても、第一導電端子と第二導電端子の位置決め精度の低下がより抑制される。したがって、インダクタに対する小型化の要求に応えつつ、信頼性をより向上できる。
【００１４】
上記のインダクタは、以下のように構成されうる。
前記第一導電端子の爪部における前記第一導電端子の中間部から遠い側の端縁は、前記第三方向に対して傾斜しており、
前記第二導電端子の爪部における前記第二導電端子の中間部から遠い側の端縁は、前記第三方向に対して傾斜している。
【００１５】
このような構成によれば、第一導電端子と第二導電端子を第一磁性体コアに装着するとき、第一導電端子と第二導電端子の各々において、第一挟持部と第二挟持部が徐々に撓み変形される。したがって、第一導電端子と第二導電端子へ急激に応力が加わることが回避され、第一磁性体コアへの装着時における応力に起因する第一導電端子と第二導電端子の塑性変形がより抑制される。これにより、第一導電端子と第二導電端子の寸法が小さい場合においても、第一導電端子と第二導電端子の位置決め精度の低下がより抑制される。したがって、インダクタに対する小型化の要求に応えつつ、信頼性をより向上できる。
【００１６】
上記のインダクタは、以下のように構成されうる。
前記第一鍔部は、前記第一導電端子の前記第一挟持部と前記第二挟持部の少なくとも一方に隣接して前記第三方向に延びるガイド面を有しており、
前記第二鍔部は、前記第二導電端子の前記第一挟持部と前記第二挟持部の少なくとも一方に隣接して前記第三方向に延びるガイド面を有している。
【００１７】
このような構成によれば、ガイド面が第一挟持部と第二挟持部の少なくとも一方の延びる方向に沿って延びているため、第一導電端子と第二導電端子が第一磁性体コアに装着されるとき、第一挟持部と第二挟持部の少なくとも一方は、各ガイド面に案内される。これにより、第一導電端子と第二導電端子の各爪部が第一磁性体コアの各凹部に円滑に導かれ、第一磁性体コアへの装着時における応力に起因する第一導電端子と第二導電端子の塑性変形がより抑制される。また、装着後の第一導電端子と第二導電端子の位置ずれが、各ガイド面によって抑制される。したがって、第一導電端子と第二導電端子の寸法が小さい場合においても、第一導電端子と第二導電端子の位置決め精度の低下がより抑制される。結果として、インダクタに対する小型化の要求に応えつつ、信頼性をより向上できる。
【００１８】
この場合、前記第一方向と前記第三方向は一致していることが好ましい。
【００１９】
このような構成によれば、各ガイド面を形成するための第一鍔部と第二鍔部の形状を簡略化できる。したがって、上述の効果に加えて、製造コストを抑制できる。
【００２０】
上記のインダクタは、以下のように構成されうる。
前記芯部に巻き回された第二導線と、
前記第二導線の第一端部が電気的に接続されている第三導電端子と、
前記第二導線の第二端部が電気的に接続されている第四導電端子と、
を備えており、
前記第三導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第四導電端子は、
前記第一方向と交差する第二方向に延びている中間部と、
前記中間部の前記第二方向における第一端部から前記第二方向と交差する第三方向に延びている第一挟持部と、
前記中間部の前記第二方向における第二端部から前記第三方向に延びている第二挟持部と、
前記第一挟持部の側端縁と前記第二挟持部の側端縁の少なくとも一方から前記第二方向に延びている爪部と、
を有しており、
前記第一鍔部の第二部分は、前記第三導電端子の前記第一挟持部と前記第二挟持部の間に挟持されており、
前記第三導電端子の前記爪部は、前記第一鍔部の第二部分に形成された凹部に係合しており、
前記第二鍔部の第二部分は、前記第四導電端子の前記第一挟持部と前記第二挟持部の間に挟持されており、
前記第四導電端子の前記爪部は、前記第二鍔部の第二部分に形成された凹部に係合している。
【００２１】
このような構成によれば、インダクタはコモンモードチョークコイル機能を有する。第三導電端子と第四導電端子を第一磁性体コアに装着するとき、第三導電端子と第四導電端子は、第二方向と第三方向を含む面内での撓み変形に加え、当該面と交差する面内での撓み変形が可能とされている。これにより、装着操作により第三導電端子と第四導電端子に加わる応力が分散されやすい。よって、応力集中によって第三導電端子と第四導電端子に塑性変形が生じることを抑制できる。
【００２２】
したがって、爪部と凹部の係合により、第三導電端子と第四導電端子の撓み変形が解消した後も、それぞれの第一挟持部と第二挟持部による第一鍔部の第二部分と第二鍔部の第二部分に対する挟持性が良好に維持される。すなわち、第三導電端子と第一鍔部の第二部分の間、および第四導電端子と第二鍔部の第二部分の間に、がたつきの原因となる隙間が生じにくく、第三導電端子と第四導電端子の位置決め精度が向上する。これにより、コモンモードチョークコイル機能を有するインダクタの特性低下が抑制される。とりわけ、第三導電端子と第四導電端子の寸法が小さい場合においても、第一磁性体コアへの装着時における応力に起因する第三導電端子と第四導電端子の塑性変形を抑制できるため、コモンモードチョークコイル機能を有するインダクタに対する小型化の要求に応えつつ、信頼性を向上できる。
【００２３】
上記のインダクタは、以下のように構成されうる。
前記第一鍔部に接合された第一部分と前記第二鍔部に接合された第二部分を有する第二磁性体コアを備えている。
【００２４】
このような構成によれば、閉磁路が形成されるため、同じ巻数のコイルを備えるインダクタよりもインダクタンス値を大きくできる。逆に、同じ値のインダクタンスを得るためのコイルの巻数を減らせるため、損失を抑制できる。したがって、インダクタに対する小型化の要求に応えつつ、信頼性をより向上できる。
【発明の効果】
【００２５】
本発明によれば、インダクタに対する小型化の要求に応えつつ、信頼性を向上できる。
【図面の簡単な説明】
【００２６】
【図１】一実施形態に係るインダクタを示す斜視図である。
【図２】上記インダクタの外観を示す六面図である。
【図３】上記インダクタが備える第一導電端子を示す斜視図である。
【図４】上記第一導電端子の外観を示す六面図である。
【図５】上記インダクタが備える第一磁性体コアを示す斜視図である。
【図６】上記インダクタが備える第一磁性体コアを示す斜視図である。
【図７】第二磁性体コアを取り外した状態の上記インダクタを示す斜視図である。
【発明を実施するための形態】
【００２７】
添付の図面を参照しつつ、本発明に係る実施形態の例について以下詳細に説明する。なお以下の説明に用いる各図面では、各部材を認識可能な大きさとするために縮尺を適宜変更している。また「前後」「左右」「上下」という表現は、説明の便宜のために用いるものであり、実際の使用状態における姿勢や方向を限定するものではない。
【００２８】
図１の（ａ）は、一実施形態に係るインダクタ１の外観を示す斜視図である。図１の（ｂ）は、図１の（ａ）における線ＩＢ−ＩＢに沿う断面を示す斜視図である。図２の（ａ）は、インダクタ１の外観を示す正面図である。図２の（ｂ）は、インダクタ１の外観を示す上面図である。図２の（ｃ）は、インダクタ１の外観を示す背面図である。図２の（ｄ）は、インダクタ１の外観を示す底面図である、図２の（ｅ）は、インダクタ１の外観を示す左側面図である。図２の（ｆ）は、インダクタ１の外観を示す右側面図である。
【００２９】
インダクタ１は、第一磁性体コア２を備えている。第一磁性体コア２は、第一鍔部２１、第二鍔部２２、および芯部２３を有している。芯部２３は、第一鍔部２１と第二鍔部２２の間に配置されて、左右方向（第一方向の一例）に延びている。
【００３０】
インダクタ１は、第一コイル３を備えている。第一コイル３は、第一導線が第一磁性体コア２の芯部２３に巻き回されることにより形成されている。
【００３１】
インダクタ１は、第一導電端子４を備えている。第一導電端子４は、第一挟持部４１、第二挟持部４２、および中間部４３を有している。中間部４３は、上下方向（第二方向の一例）に延びている。第一鍔部２１の第一部分２１１は、第一挟持部４１と第二挟持部４２の間に挟持されている。図示を省略するが、第一導線の第一端部は、第一挟持部４１に接合されている。接合は、はんだ付けや溶接により行なわれる。これにより、第一導線の第一端部は、第一導電端子４と電気的に接続されている。
【００３２】
インダクタ１は、第二導電端子５を備えている。第二導電端子５は、第一挟持部５１、第二挟持部５２、および中間部５３を有している。中間部５３は、上下方向（第二方向の一例）に延びている。第二鍔部２２の第一部分２２１は、第一挟持部５１と第二挟持部５２の間に挟持されている。図示を省略するが、第一導線の第二端部は、第一挟持部５１に接合されている。接合は、はんだ付けや溶接により行なわれる。これにより、第一導線の第二端部は、第二導電端子５と電気的に接続されている。
【００３３】
図３の（ａ）は、第一導電端子４の外観を示す斜視図である。図４の（ａ）は、第一導電端子４の外観を示す正面図である。図４の（ｂ）は、第一導電端子４の外観を示す上面図である。図４の（ｃ）は、第一導電端子４の外観を示す背面図である。図４の（ｄ）は、第一導電端子４の外観を示す底面図である、図４の（ｅ）は、第一導電端子４の外観を示す左側面図である。図４の（ｆ）は、第一導電端子４の外観を示す右側面図である。
【００３４】
第一挟持部４１は、中間部４３の上端部（第一導電端子の中間部の第一端部の一例）から右方（第三方向の一例）に延びている。第二挟持部４２は、中間部４３の下端部（第一導電端子の中間部の第二端部の一例）から、右方（第三方向の一例）に延びている。
【００３５】
第一導電端子４は、第一爪部４４と第二爪部４５を有している。第一爪部４４は、第一挟持部４１の側端縁から、第二挟持部４２に向かって下方（第二方向の一例）に延びている。第二爪部４５は、第二挟持部４２の側端縁から、第一挟持部４１に向かって上方（第二方向の一例）に延びている。
【００３６】
図３の（ｂ）は、第二導電端子５の外観を示す斜視図である。第二導電端子５は、第一導電端子４と対称な形状を有しているため、六面図の図示は省略する。
【００３７】
第一挟持部５１は、中間部５３の上端部（第二導電端子の中間部の第一端部の一例）から左方（第三方向の一例）に延びている。第二挟持部５２は、中間部５３の下端部（第二導電端子の中間部の第二端部の一例）から、左方（第三方向の一例）に延びている。
【００３８】
第二導電端子５は、第一爪部５４と第二爪部５５を有している。第一爪部５４は、第一挟持部５１の側端縁から、第二挟持部５２に向かって下方（第二方向の一例）に延びている。第二爪部５５は、第二挟持部５２の側端縁から、第一挟持部５１に向かって上方（第二方向の一例）に延びている。
【００３９】
図５の（ａ）は、第一導電端子４と第二導電端子５が装着されていない状態の第一磁性体コア２を、上前方から見た外観を示す斜視図である。
【００４０】
第一鍔部２１の第一部分２１１は、上面２１１ａを有している。上面２１１ａには、第一凹部２１１ｂが形成されている。第一凹部２１１ｂは、左右方向に延びている。
【００４１】
第二鍔部２２の第一部分２２１は、上面２２１ａを有している。上面２２１ａには、第一凹部２２１ｂが形成されている。第一凹部２２１ｂは、左右方向に延びている。
【００４２】
図５の（ｂ）は、第一導電端子４と第二導電端子５が装着されていない状態の第一磁性体コア２を、下前方から見た外観を示す斜視図である。
【００４３】
第一鍔部２１の第一部分２１１は、下面２１１ｃを有している。下面２１１ｃには、第二凹部２１１ｄが形成されている。第二凹部２１１ｄは、左右方向に延びている。
【００４４】
第二鍔部２２の第一部分２２１は、下面２２１ｃを有している。下面２２１ｃには、第二凹部２２１ｄが形成されている。第二凹部２２１ｄは、左右方向に延びている。
【００４５】
第一導電端子４における第一挟持部４１と第二挟持部４２の上下方向における間隔は、第一鍔部２１の第一部分２１１における上面２１１ａと下面２１１ｃ間の距離と実質的に同一である。したがって、第一導電端子４における第一爪部４４の先端と第二爪部４５の先端の上下方向における間隔は、上面２１１ａと下面２１１ｃ間の距離より短い。
【００４６】
第二導電端子５における第一挟持部５１と第二挟持部５２の上下方向における間隔は、第二鍔部２２の第一部分２２１における上面２２１ａと下面２２１ｃ間の距離と実質的に同一である。したがって、第二導電端子５における第一爪部５４の先端と第二爪部５５の先端の上下方向における間隔は、上面２２１ａと下面２２１ｃ間の距離より短い。
【００４７】
図７の（ａ）は、第一導電端子４と第二導電端子５が装着された状態の第一磁性体コア２を、上前方から見た外観を示す斜視図である。
【００４８】
第一導電端子４は、第一磁性体コア２における第一鍔部２１の第一部分２１１に左方から装着される。第一導電端子４の第一爪部４４は、第一部分２１１の上面２１１ａに形成された第一凹部２１１ｂと係合する。第一導電端子４の第二爪部４５は、第一部分２１１の下面２１１ｃに形成された第二凹部２１１ｄと係合する。
【００４９】
第一凹部２１１ｂとの係合に先立ち、第一爪部４４は、上面２１１ａ上を摺動する。他方、第二凹部２１１ｄとの係合に先立ち、第二爪部４５は、下面２１１ｃ上を摺動する。前述のように、第一導電端子４における第一爪部４４の先端と第二爪部４５の先端の上下方向における間隔は、上面２１１ａと下面２１１ｃ間の距離より短い。そのため、第一導電端子４の第一挟持部４１の先端部が、前後方向に延びる軸線を中心として上方へ撓み変形する。他方、第一導電端子４の第二挟持部４２の先端部は、前後方向に延びる軸線を中心として下方へ撓み変形する。
【００５０】
さらに、第一導電端子４の第一爪部４４は、第一挟持部４１の側端縁から延びている。よって、当該側端縁側が、左右方向に延びる軸線を中心として上方へ撓み変形する。他方、第一導電端子４の第二爪部４５は、第二挟持部４２の側端縁から延びている。よって、当該側端縁側が、左右方向に延びる軸線を中心として下方へ撓み変形する。
【００５１】
すなわち、第一導電端子４を第一磁性体コア２に装着するとき、第一導電端子４は、前後方向に延びる軸線を中心とする撓み変形に加え、左右方向に延びる軸線を中心とする撓み変形が可能とされている。これにより、装着操作により第一導電端子４に加わる応力が分散されやすい。よって、応力集中によって第一導電端子４に塑性変形が生じることを抑制できる。
【００５２】
したがって、第一爪部４４と第一凹部２１１ｂの係合、および第二爪部４５と第二凹部２１１ｄの係合により、第一導電端子４の撓み変形が解消した後も、第一挟持部４１と第二挟持部４２による第一鍔部２１の第一部分２１１の挟持性が良好に維持される。すなわち、第一導電端子４と第一部分２１１の間に、がたつきの原因となる隙間が生じにくく、第一導電端子４の位置決め精度が向上する。これにより、インダクタ１の特性低下が抑制される。とりわけ、第一導電端子４の寸法が小さい場合においても、第一磁性体コア２への装着時における応力に起因する第一導電端子４の塑性変形を抑制できるため、インダクタ１に対する小型化の要求に応えつつ、信頼性を向上できる。
【００５３】
第二導電端子５は、第一磁性体コア２における第二鍔部２２の第一部分２２１に右方から装着される。第二導電端子５の第一爪部５４は、第一部分２２１の上面２２１ａに形成された第一凹部２２１ｂと係合する。第二導電端子５の第二爪部５５は、第一部分２２１の下面２２１ｃに形成された第二凹部２２１ｄと係合する。
【００５４】
第一凹部２２１ｂとの係合に先立ち、第一爪部５４は、上面２２１ａ上を摺動する。他方、第二凹部２２１ｄとの係合に先立ち、第二爪部５５は、下面２２１ｃ上を摺動する。前述のように、第二導電端子５における第一爪部５４の先端と第二爪部５５の先端の上下方向における間隔は、上面２２１ａと下面２２１ｃ間の距離より短い。そのため、第二導電端子５の第一挟持部５１の先端部が、前後方向に延びる軸線を中心として上方へ撓み変形する。他方、第二導電端子５の第二挟持部５２の先端部は、前後方向に延びる軸線を中心として下方へ撓み変形する。
【００５５】
さらに、第二導電端子５の第一爪部５４は、第一挟持部５１の側端縁から延びている。よって、当該側端縁側が、左右方向に延びる軸線を中心として上方へ撓み変形する。他方、第二導電端子５の第二爪部５５は、第二挟持部５２の側端縁から延びている。よって、当該側端縁側が、左右方向に延びる軸線を中心として下方へ撓み変形する。
【００５６】
すなわち、第二導電端子５を第一磁性体コア２に装着するとき、第二導電端子５は、前後方向に延びる軸線を中心とする撓み変形に加え、左右方向に延びる軸線を中心とする撓み変形が可能とされている。これにより、装着操作により第二導電端子５に加わる応力が分散されやすい。よって、応力集中によって第二導電端子５に塑性変形が生じることを抑制できる。
【００５７】
したがって、第一爪部５４と第一凹部２２１ｂの係合、および第二爪部５５と第二凹部２２１ｄの係合により、第二導電端子５の撓み変形が解消した後も、第一挟持部５１と第二挟持部５２による第二鍔部２２の第一部分２２１の挟持性が良好に維持される。すなわち、第二導電端子５と第一部分２２１の間に、がたつきの原因となる隙間が生じにくく、第二導電端子５の位置決め精度が向上する。これにより、インダクタ１の特性低下がより抑制される。とりわけ、第二導電端子５の寸法が小さい場合においても、第一磁性体コア２への装着時における応力に起因する第二導電端子５の塑性変形を抑制できるため、インダクタ１に対する小型化の要求に応えつつ、信頼性をより向上できる。
【００５８】
図３の（ａ）、図４の（ｂ）、および図４の（ｃ）に示すように、第一導電端子４の第一爪部４４の一部は、第一挟持部４１を前後方向（第四方向の一例）に延びる切欠き４１ａにより形成されている。
【００５９】
図３の（ａ）、図４の（ｃ）、および図４の（ｄ）に示すように、第一導電端子４の第二爪部４５の一部は、第二挟持部４２を前後方向（第四方向の一例）に延びる切欠き４２ａにより形成されている。
【００６０】
このような構成によれば、第一導電端子４の第一爪部４４と第二爪部４５は、上下方向に延びる部分に加えて、前後方向に延びる部分を有する。これにより、第一爪部４４と第二爪部４５は、それぞれ、第一挟持部４１と第二挟持部４２により、片持ち梁状に支持される。よって、撓み変形可能性が向上され、第一磁性体コア２への装着時における応力に起因する第一導電端子４の塑性変形がより抑制される。したがって、第一導電端子４の寸法が小さい場合においても、第一導電端子４の位置決め精度の低下がより抑制される。したがって、インダクタ１に対する小型化の要求に応えつつ、信頼性をより向上できる。
【００６１】
図３の（ｂ）に示すように、第二導電端子５の第一爪部５４の一部は、第一挟持部５１を前後方向（第四方向の一例）に延びる切欠き５１ａにより形成されている。
【００６２】
図３の（ｂ）に示すように、第二導電端子５の第二爪部５５の一部は、第二挟持部５２を前後方向（第四方向の一例）に延びる切欠き５２ａにより形成されている。
【００６３】
このような構成によれば、第二導電端子５の第一爪部５４と第二爪部５５は、上下方向に延びる部分に加えて、前後方向に延びる部分を有する。これにより、第一爪部５４と第二爪部５５は、それぞれ、第一挟持部５１と第二挟持部５２により、片持ち梁状に支持される。したがって、撓み変形可能性が向上され、第一磁性体コア２への装着時における応力に起因する第二導電端子５の塑性変形がより抑制される。よって、第二導電端子５の寸法が小さい場合においても、第二導電端子５の位置決め精度の低下がより抑制される。これにより、インダクタ１に対する小型化の要求に応えつつ、信頼性をより向上できる。
【００６４】
図３の（ａ）、図４の（ａ）、および図４の（ｃ）に示すように、第一導電端子４の第一爪部４４における中間部４３から遠い側の端縁４４ａは、左右方向（第三方向の一例）に対して傾斜している。また、第一導電端子４の第二爪部４５における中間部４３から遠い側の端縁４５ａは、左右方向（第三方向の一例）に対して傾斜している。
【００６５】
このような構成によれば、第一導電端子４を第一磁性体コア２に装着するとき、第一爪部４４の傾斜した端縁４４ａと第二爪部４５の傾斜した端縁４５ａが、まず第一鍔部２１の第一部分２１１に当接する。第一部分２１１が傾斜した端縁４４ａ、４５ａ上を摺動することにより、第一導電端子４の第一挟持部４１と第二挟持部４２が徐々に撓み変形される。したがって、第一導電端子４へ急激に応力が加わることが回避され、第一磁性体コア２への装着時における応力に起因する第一導電端子４の塑性変形がより抑制される。これにより、第一導電端子４の寸法が小さい場合においても、第一導電端子４の位置決め精度の低下がより抑制される。したがって、インダクタ１に対する小型化の要求に応えつつ、信頼性をより向上できる。
【００６６】
図３の（ｂ）に示すように、第二導電端子５の第一爪部５４における中間部５３から遠い側の端縁５４ａは、左右方向（第三方向の一例）に対して傾斜している。また、第二導電端子５の第二爪部５５における中間部５３から遠い側の端縁５５ａは、左右方向（第三方向の一例）に対して傾斜している。
【００６７】
このような構成によれば、第二導電端子５を第一磁性体コア２に装着するとき、第一爪部５４の傾斜した端縁５４ａと第二爪部５５の傾斜した端縁５５ａが、まず第二鍔部２２の第一部分２２１に当接する。第一部分２２１が傾斜した端縁５４ａ、５５ａ上を摺動することにより、第二導電端子５の第一挟持部５１と第二挟持部５２が徐々に撓み変形される。したがって、第二導電端子５へ急激に応力が加わることが回避され、第一磁性体コア２への装着時における応力に起因する第二導電端子５の塑性変形がより抑制される。これにより、第二導電端子５の寸法が小さい場合においても、第二導電端子５の位置決め精度の低下がより抑制される。したがって、インダクタ１に対する小型化の要求に応えつつ、信頼性をより向上できる。
【００６８】
図５の（ａ）に示すように、第一磁性体コア２の第一鍔部２１は、ガイド面２１ａを有している。ガイド面２１ａは、第一鍔部２１の第一部分２１１の上面２１１ａに隣接して左右方向（第三方向の一例）に延びている。図７の（ａ）に示すように、第一導電端子４が第一鍔部２１に装着された状態においては、ガイド面２１ａは、第一導電端子４の第一挟持部４１に隣接して左右方向に延びている。
【００６９】
このような構成によれば、ガイド面２１ａが第一挟持部４１の延びる方向に沿って延びているため、第一導電端子４が第一鍔部２１に装着されるとき、第一挟持部４１は、ガイド面２１ａに案内される。これにより、第一導電端子４の第一爪部４４が第一鍔部２１の第一凹部２１１ｂに円滑に導かれ、第一磁性体コア２への装着時における応力に起因する第一導電端子４の塑性変形がより抑制される。また、装着後の第一導電端子４の位置ずれが、ガイド面２１ａによって抑制される。したがって、第一導電端子４の寸法が小さい場合においても、第一導電端子４の位置決め精度の低下がより抑制される。結果として、インダクタ１に対する小型化の要求に応えつつ、信頼性をより向上できる。
【００７０】
図５の（ａ）に示すように、第一磁性体コア２の第二鍔部２２は、ガイド面２２ａを有している。ガイド面２２ａは、第二鍔部２２の第一部分２２１の上面２２１ａに隣接して左右方向（第三方向の一例）に延びている。図７の（ａ）に示すように、第二導電端子５が第一部分２２１に装着された状態においては、ガイド面２２ａは、第二導電端子５の第一挟持部５１に隣接して左右方向に延びている。
【００７１】
このような構成によれば、ガイド面２２ａが第一挟持部５１の延びる方向に沿って延びているため、第二導電端子５が第二鍔部２２に装着されるとき、第一挟持部５１は、ガイド面２２ａに案内される。これにより、第二導電端子５の第一爪部５４が第二鍔部２２の第一凹部２２１ｂに円滑に導かれ、第一磁性体コア２への装着時における応力に起因する第二導電端子５の塑性変形がより抑制される。また、装着後の第二導電端子５の位置ずれが、ガイド面２２ａによって抑制される。したがって、第二導電端子５の寸法が小さい場合においても、第二導電端子５の位置決め精度の低下がより抑制される。結果として、インダクタ１に対する小型化の要求に応えつつ、信頼性をより向上できる。
【００７２】
図１の（ｂ）に示すように、インダクタ１は、第二コイル６を備えている。第二コイル６は、第二導線が第一磁性体コア２の芯部２３に巻き回されることにより形成されている。第二コイル６は、芯部２３の径方向における第一コイル３の内方に形成されている。これにより、インダクタ１は、コモンモードチョークコイル機能を有している。
【００７３】
図７の（ｂ）に示すように、インダクタ１は、第三導電端子７を備えている。第三導電端子７は、第一挟持部７１、第二挟持部７２、および中間部７３を有している。中間部７３は、上下方向（第二方向の一例）に延びている。第一鍔部２１の第二部分２１２は、第一挟持部７１と第二挟持部７２の間に挟持されている。図示を省略するが、第二導線の第一端部は、第一挟持部７１に接合されている。接合は、はんだ付けや溶接により行なわれる。これにより、第二導線の第一端部は、第三導電端子７と電気的に接続されている。
【００７４】
図７の（ｂ）に示すように、インダクタ１は、第四導電端子８を備えている。第四導電端子８は、第一挟持部８１、第二挟持部８２、および中間部８３を有している。中間部８３は、上下方向（第二方向の一例）に延びている。第二鍔部２２の第二部分２２２は、第一挟持部８１と第二挟持部８２の間に挟持されている。図示を省略するが、第二導線の第二端部は、第一挟持部８１に接合されている。接合は、はんだ付けや溶接により行なわれる。これにより、第二導線の第二端部は、第四導電端子８と電気的に接続されている。
【００７５】
第三導電端子７は、第二導電端子５と同一の構成を有している。よって、図３の（ｂ）を参照しつつ、第三導電端子７の構成について説明する。
【００７６】
第一挟持部７１は、中間部７３の上端部（第三導電端子の中間部の第一端部の一例）から左方（第三方向の一例）に延びている。第二挟持部７２は、中間部７３の下端部（第三導電端子の中間部の第二端部の一例）から、左方（第三方向の一例）に延びている。
【００７７】
第三導電端子７は、第一爪部７４と第二爪部７５を有している。第一爪部７４は、第一挟持部７１の側端縁から、第二挟持部７２に向かって下方（第二方向の一例）に延びている。第二爪部７５は、第二挟持部７２の側端縁から、第一挟持部７１に向かって上方（第二方向の一例）に延びている。
【００７８】
第四導電端子８は、第一導電端子４と同一の構成を有している。よって、図３の（ａ）を参照しつつ、第四導電端子８の構成について説明する。
【００７９】
第一挟持部８１は、中間部８３の上端部（第四導電端子の中間部の第一端部の一例）から右方（第三方向の一例）に延びている。第二挟持部８２は、中間部８３の下端部（第三導電端子の中間部の第二端部の一例）から、右方（第三方向の一例）に延びている。
【００８０】
第四導電端子８は、第一爪部８４と第二爪部８５を有している。第一爪部８４は、第一挟持部８１の側端縁から、第二挟持部８２に向かって下方（第二方向の一例）に延びている。第二爪部８５は、第二挟持部８２の側端縁から、第一挟持部８１に向かって上方（第二方向の一例）に延びている。
【００８１】
図６の（ａ）は、第三導電端子７と第四導電端子８が装着されていない状態の第一磁性体コア２を、上後方から見た外観を示す斜視図である。
【００８２】
第一鍔部２１の第二部分２１２は、上面２１２ａを有している。上面２１２ａには、第一凹部２１２ｂが形成されている。第一凹部２１２ｂは、左右方向に延びている。
【００８３】
第二鍔部２２の第二部分２２２は、上面２２２ａを有している。上面２２２ａには、第一凹部２２２ｂが形成されている。第一凹部２２２ｂは、左右方向に延びている。
【００８４】
図６の（ｂ）は、第三導電端子７と第四導電端子８が装着されていない状態の第一磁性体コア２を、下後方から見た外観を示す斜視図である。
【００８５】
第一鍔部２１の第二部分２１２は、下面２１２ｃを有している。下面２１２ｃには、第二凹部２１２ｄが形成されている。第二凹部２１２ｄは、左右方向に延びている。
【００８６】
第二鍔部２２の第二部分２２２は、下面２２２ｃを有している。下面２２２ｃには、第二凹部２２２ｄが形成されている。第二凹部２２２ｄは、左右方向に延びている。
【００８７】
第三導電端子７における第一挟持部７１と第二挟持部７２の上下方向における間隔は、第一鍔部２１の第二部分２１２における上面２１２ａと下面２１２ｃ間の距離と実質的に同一である。したがって、第三導電端子７における第一爪部７４の先端と第二爪部７５の先端の上下方向における間隔は、上面２１２ａと下面２１２ｃ間の距離より短い。
【００８８】
第四導電端子８における第一挟持部８１と第二挟持部８２の上下方向における間隔は、第二鍔部２２の第二部分２２２における上面２２２ａと下面２２２ｃ間の距離と実質的に同一である。したがって、第四導電端子８における第一爪部８４の先端と第二爪部８５の先端の上下方向における間隔は、上面２２２ａと下面２２２ｃ間の距離より短い。
【００８９】
図７の（ｂ）は、第三導電端子７と第四導電端子８が装着された状態の第一磁性体コア２を、上後方から見た外観を示す斜視図である。
【００９０】
第三導電端子７は、第一磁性体コア２における第一鍔部２１の第二部分２１２に左方から装着される。第三導電端子７の第一爪部７４は、第二部分２１２の上面２１２ａに形成された第一凹部２１２ｂと係合する。第三導電端子７の第二爪部７５は、第二部分２１２の下面２１２ｃに形成された第二凹部２１２ｄと係合する。
【００９１】
第一凹部２１２ｂとの係合に先立ち、第一爪部７４は、上面２１２ａ上を摺動する。他方、第二凹部２１２ｄとの係合に先立ち、第二爪部７５は、下面２１２ｃ上を摺動する。前述のように、第三導電端子７における第一爪部７４の先端と第二爪部７５の先端の上下方向における間隔は、上面２１２ａと下面２１２ｃ間の距離より短い。そのため、第三導電端子７の第一挟持部７１の先端部が、前後方向に延びる軸線を中心として上方へ撓み変形する。他方、第三導電端子７の第二挟持部７２の先端部は、前後方向に延びる軸線を中心として下方へ撓み変形する。
【００９２】
さらに、第三導電端子７の第一爪部７４は、第一挟持部７１の側端縁から延びている。よって、当該側端縁側が、左右方向に延びる軸線を中心として上方へ撓み変形する。他方、第三導電端子７の第二爪部７５は、第二挟持部７２の側端縁から延びている。よって、当該側端縁側が、左右方向に延びる軸線を中心として下方へ撓み変形する。
【００９３】
すなわち、第三導電端子７を第一磁性体コア２に装着するとき、第三導電端子７は、前後方向に延びる軸線を中心とする撓み変形に加え、左右方向に延びる軸線を中心とする撓み変形が可能とされている。これにより、装着操作により第三導電端子７に加わる応力が分散されやすい。よって、応力集中によって第三導電端子７に塑性変形が生じることを抑制できる。
【００９４】
したがって、第一爪部７４と第一凹部２１２ｂの係合、および第二爪部７５と第二凹部２１２ｄの係合により、第三導電端子７の撓み変形が解消した後も、第一挟持部７１と第二挟持部７２による第一鍔部２１の第二部分２１２の挟持性が良好に維持される。すなわち、第三導電端子７と第二部分２１２の間に、がたつきの原因となる隙間が生じにくく、第三導電端子７の位置決め精度が向上する。これにより、コモンモードチョークコイル機能を有するインダクタ１の特性低下が抑制される。とりわけ、第三導電端子７の寸法が小さい場合においても、第一磁性体コア２への装着時における応力に起因する第三導電端子７の塑性変形を抑制できるため、コモンモードチョークコイル機能を有するインダクタ１に対する小型化の要求に応えつつ、信頼性を向上できる。
【００９５】
第四導電端子８は、第一磁性体コア２における第二鍔部２２の第二部分２２２に右方から装着される。第四導電端子８の第一爪部８４は、第二部分２２２の上面２２２ａに形成された第一凹部２２２ｂと係合する。第四導電端子８の第二爪部８５は、第二部分２２２の下面２２２ｃに形成された第二凹部２２２ｄと係合する。
【００９６】
第一凹部２２２ｂとの係合に先立ち、第一爪部８４は、上面２２２ａ上を摺動する。他方、第二凹部２２２ｄとの係合に先立ち、第二爪部８５は、下面２２２ｃ上を摺動する。前述のように、第四導電端子８における第一爪部８４の先端と第二爪部８５の先端の上下方向における間隔は、上面２２２ａと下面２２２ｃ間の距離より短い。そのため、第四導電端子８の第一挟持部８１の先端部が、前後方向に延びる軸線を中心として上方へ撓み変形する。他方、第四導電端子８の第二挟持部８２の先端部は、前後方向に延びる軸線を中心として下方へ撓み変形する。
【００９７】
さらに、第四導電端子８の第一爪部８４は、第一挟持部８１の側端縁から延びている。よって、当該側端縁側が、左右方向に延びる軸線を中心として上方へ撓み変形する。他方、第四導電端子８の第二爪部８５は、第二挟持部８２の側端縁から延びている。よって、当該側端縁側が、左右方向に延びる軸線を中心として下方へ撓み変形する。
【００９８】
すなわち、第四導電端子８を第一磁性体コア２に装着するとき、第四導電端子８は、前後方向に延びる軸線を中心とする撓み変形に加え、左右方向に延びる軸線を中心とする撓み変形が可能とされている。これにより、装着操作により第四導電端子８に加わる応力が分散されやすい。よって、応力集中によって第四導電端子８に塑性変形が生じることを抑制できる。
【００９９】
したがって、第一爪部８４と第一凹部２２２ｂの係合、および第二爪部８５と第二凹部２２２ｄの係合により、第四導電端子８の撓み変形が解消した後も、第一挟持部８１と第二挟持部８２による第二鍔部２２の第二部分２２２の挟持性が良好に維持される。すなわち、第四導電端子８と第二部分２２２の間に、がたつきの原因となる隙間が生じにくく、第四導電端子８の位置決め精度が向上する。これにより、コモンモードチョークコイル機能を有するインダクタ１の特性低下が抑制される。とりわけ、第四導電端子８の寸法が小さい場合においても、第一磁性体コア２への装着時における応力に起因する塑性変形を抑制できるため、コモンモードチョークコイル機能を有するインダクタ１に対する小型化の要求に応えつつ、信頼性を向上できる。
【０１００】
図３の（ｂ）に示すように、第三導電端子７の第一爪部７４の一部は、第一挟持部７１を前後方向（第四方向の一例）に延びる切欠き７１ａにより形成されている。また、第三導電端子７の第二爪部７５の一部は、第二挟持部７２を前後方向（第四方向の一例）に延びる切欠き７２ａにより形成されている。
【０１０１】
このような構成によれば、第三導電端子７の第一爪部７４と第二爪部７５は、上下方向に延びる部分に加えて、前後方向に延びる部分を有する。これにより、第一爪部７４と第二爪部７５は、それぞれ、第一挟持部７１と第二挟持部７２により、片持ち梁状に支持される。したがって、撓み変形可能性が向上され、第一磁性体コア２への装着時における応力に起因する第三導電端子７の塑性変形がより抑制される。これにより、第三導電端子７の寸法が小さい場合においても、第三導電端子７の位置決め精度の低下がより抑制される。したがって、コモンモードチョークコイル機能を有するインダクタ１に対する小型化の要求に応えつつ、信頼性をより向上できる。
【０１０２】
図３の（ａ）に示すように、第四導電端子８の第一爪部８４の一部は、第一挟持部８１を前後方向（第四方向の一例）に延びる切欠き８１ａにより形成されている。また、第四導電端子８の第二爪部８５の一部は、第二挟持部８２を前後方向（第四方向の一例）に延びる切欠き８２ａにより形成されている。
【０１０３】
このような構成によれば、第四導電端子８の第一爪部８４と第二爪部８５は、上下方向に延びる部分に加えて、前後方向に延びる部分を有する。これにより、第一爪部８４と第二爪部８５は、それぞれ、第一挟持部８１と第二挟持部８２により、片持ち梁状に支持される。したがって、撓み変形可能性が向上され、第一磁性体コア２への装着時における応力に起因する第四導電端子８の塑性変形がより抑制される。これにより、第四導電端子８の寸法が小さい場合においても、第四導電端子８の位置決め精度の低下がより抑制される。したがって、コモンモードチョークコイル機能を有するインダクタ１に対する小型化の要求に応えつつ、信頼性をより向上できる。
【０１０４】
図３の（ｂ）に示すように、第三導電端子７の第一爪部７４における中間部７３から遠い側の端縁７４ａは、左右方向（第三方向の一例）に対して傾斜している。また、第三導電端子７の第二爪部７５における中間部７３から遠い側の端縁７５ａは、左右方向（第三方向の一例）に対して傾斜している。
【０１０５】
このような構成によれば、第三導電端子７を第一磁性体コア２に装着するとき、第一爪部７４の傾斜した端縁７４ａと第二爪部７５の傾斜した端縁７５ａが、まず第一鍔部２１の第二部分２１２に当接する。第二部分２１２が傾斜した端縁７４ａ、７５ａ上を摺動することにより、第三導電端子７の第一挟持部７１と第二挟持部７２が徐々に撓み変形される。したがって、第三導電端子７へ急激に応力が加わることが回避され、第一磁性体コア２への装着時における応力に起因する第三導電端子７の塑性変形がより抑制される。これにより、第三導電端子７の寸法が小さい場合においても、第三導電端子７の位置決め精度の低下がより抑制される。したがって、コモンモードチョークコイル機能を有するインダクタ１に対する小型化の要求に応えつつ、信頼性をより向上できる。
【０１０６】
図３の（ａ）に示すように、第四導電端子８の第一爪部８４における中間部８３から遠い側の端縁８４ａは、左右方向（第三方向の一例）に対して傾斜している。また、第四導電端子８の第二爪部８５における中間部８３から遠い側の端縁８５ａは、左右方向（第三方向の一例）に対して傾斜している。
【０１０７】
このような構成によれば、第四導電端子８を第一磁性体コア２に装着するとき、第一爪部８４の傾斜した端縁８４ａと第二爪部８５の傾斜した端縁８５ａが、まず第二鍔部２２の第二部分２２２に当接する。第二部分２２２が傾斜した端縁８４ａ、８５ａ上を摺動することにより、第四導電端子８の第一挟持部８１と第二挟持部８２が徐々に撓み変形される。したがって、第四導電端子８へ急激に応力が加わることが回避され、第一磁性体コア２への装着時における応力に起因する第四導電端子８の塑性変形がより抑制される。これにより、第四導電端子８の寸法が小さい場合においても、第四導電端子８の位置決め精度の低下がより抑制される。したがって、コモンモードチョークコイル機能を有するインダクタ１に対する小型化の要求に応えつつ、信頼性をより向上できる。
【０１０８】
図６の（ａ）に示すように、第一磁性体コア２の第一鍔部２１は、ガイド面２１ｂを有している。ガイド面２１ｂは、第一鍔部２１の第二部分２１２の上面２１２ａに隣接して左右方向（第三方向の一例）に延びている。図７の（ｂ）に示すように、第三導電端子７が第一鍔部２１に装着された状態においては、ガイド面２１ｂは、第三導電端子７の第一挟持部７１に隣接して左右方向に延びている。
【０１０９】
このような構成によれば、ガイド面２１ｂが第一挟持部７１の延びる方向に沿って延びているため、第三導電端子７が第一鍔部２１に装着されるとき、第一挟持部７１は、ガイド面２１ｂに案内される。これにより、第三導電端子７の第一爪部７４が第一鍔部２１の第一凹部２１２ｂに円滑に導かれ、第一磁性体コア２への装着時における応力に起因する第三導電端子７の塑性変形がより抑制される。また、装着後の第三導電端子７の位置ずれが、ガイド面２１ｂによって抑制される。したがって、第三導電端子７の寸法が小さい場合においても、第三導電端子７の位置決め精度の低下がより抑制される。結果として、コモンモードチョークコイル機能を有するインダクタ１に対する小型化の要求に応えつつ、信頼性をより向上できる。
【０１１０】
図６の（ａ）に示すように、第一磁性体コア２の第二鍔部２２は、ガイド面２２ｂを有している。ガイド面２２ｂは、第二鍔部２２の第二部分２２２の上面２２２ａに隣接して左右方向（第三方向の一例）に延びている。図７の（ｂ）に示すように、第四導電端子８が第二部分２２２に装着された状態においては、ガイド面２２ｂは、第四導電端子８の第一挟持部８１に隣接して左右方向に延びている。
【０１１１】
このような構成によれば、ガイド面２２ｂが第一挟持部８１の延びる方向に沿って延びているため、第四導電端子８が第二鍔部２２に装着されるとき、第一挟持部８１は、ガイド面２２ｂに案内される。これにより、第四導電端子８の第一爪部８４が第二鍔部２２の第一凹部２２２ｂに円滑に導かれ、第一磁性体コア２への装着時における応力に起因する第四導電端子８の塑性変形がより抑制される。また、装着後の第四導電端子８の位置ずれが、ガイド面２２ｂによって抑制される。したがって、第四導電端子８の寸法が小さい場合においても、第四導電端子８の位置決め精度の低下がより抑制される。結果として、コモンモードチョークコイル機能を有するインダクタ１に対する小型化の要求に応えつつ、信頼性をより向上できる。
【０１１２】
図１の（ａ）に示すように、インダクタ１は、第二磁性体コア９を備えている。図１の（ｂ）に示すように、第二磁性体コア９は、第一部分９ａと第二部分９ｂを有している。第一部分９ａは、第一磁性体コア２の第一鍔部２１に接合されている。第二部分９ｂは、第一磁性体コア２の第二鍔部２２に接合されている。具体的には、図５の（ａ）に示すように、第一鍔部２１は、上面２１ｃを有しており、第二鍔部２２は、上面２２ｃを有している。第二磁性体コア９の第一部分９ａは、接着剤や溶着などにより、上面２１ｃと接合されている。第二磁性体コア９の第二部分９ｂは、接着剤や溶着などにより、上面２２ｃと接合されている。
【０１１３】
このような構成によれば、閉磁路が形成されるため、同じ巻数のコイルを備えるインダクタよりもインダクタンス値を大きくできる。逆に、同じ値のインダクタンスを得るためのコイルの巻数を減らせるため、損失を抑制できる。したがって、インダクタ１に対する小型化の要求に応えつつ、信頼性をより向上できる。
【０１１４】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【０１１５】
上記の実施形態においては、第一コイル３と第二コイル６を備えることによりコモンモードチョークコイル機能を有するインダクタ１が例示されている。しかしながら、インダクタ１の仕様に応じて、第二コイル６は省略されうる。この場合、第二コイル６を形成する第二導線が電気的に接続される第三導電端子７と第四導電端子８も省略される。
【０１１６】
上記の実施形態においては、第一磁性体コア２の第一鍔部２１は、第一部分２１１の上面２１１ａに隣接するガイド面２１ａ、および第二部分２１２の上面２１２ａに隣接するガイド面２１ｂを有している。加えて、第一磁性体コア２の第一鍔部２１は、第一部分２１１の下面２１１ｃと第二部分２１２の下面２１２ｃの少なくとも一方に隣接して左右方向に延びるガイド面を有してもよい。
【０１１７】
上記の実施形態においては、第一磁性体コア２の第二鍔部２２は、第一部分２２１の上面２２１ａに隣接するガイド面２２ａ、および第二部分２２２の上面２２２ａに隣接するガイド面２２ｂを有している。加えて、第一磁性体コア２の第二鍔部２２は、第一部分２２１の下面２２１ｃと第二部分２２２の下面２２２ｃの少なくとも一方に隣接して左右方向に延びるガイド面を有してもよい。
【０１１８】
上記の実施形態においては、第一導電端子４の第一挟持部４１と第二挟持部４２が中間部４３から延びている方向（第三方向の一例）は、第一磁性体コア２の芯部２３の延びている方向（第一方向の一例）と一致している。このような構成によれば、ガイド面２１ａを形成するための第一鍔部２１の形状を簡略化できる。したがって、上述の効果に加えて、製造コストを抑制できる。しかしながら、第一導電端子４の第一挟持部４１と第二挟持部４２が中間部４３から延びている方向と、第一磁性体コア２の芯部２３の延びている方向（第一方向の一例）とは異なっていてもよい。例えば、第一導電端子４が第一鍔部２１の第一部分２１１に対して前方から装着される構成が採用されうる。
【０１１９】
上記の実施形態においては、第二導電端子５の第一挟持部５１と第二挟持部５２が中間部５３から延びている方向（第三方向の一例）は、第一磁性体コア２の芯部２３の延びている方向（第一方向の一例）と一致している。このような構成によれば、ガイド面２２ａを形成するための第二鍔部２２の形状を簡略化できる。したがって、上述の効果に加えて、製造コストを抑制できる。しかしながら、第二導電端子５の第一挟持部５１と第二挟持部５２が中間部５３から延びている方向と、第一磁性体コア２の芯部２３の延びている方向（第一方向の一例）とは異なっていてもよい。例えば、第二導電端子５が第二鍔部２２の第一部分２２１に対して前方から装着される構成が採用されうる。
【０１２０】
上記の実施形態においては、第三導電端子７の第一挟持部７１と第二挟持部７２が中間部７３から延びている方向（第三方向の一例）は、第一磁性体コア２の芯部２３の延びている方向（第一方向の一例）と一致している。このような構成によれば、ガイド面２１ｂを形成するための第一鍔部２１の形状を簡略化できる。したがって、上述の効果に加えて、製造コストを抑制できる。しかしながら、第三導電端子７の第一挟持部７１と第二挟持部７２が中間部７３から延びている方向と、第一磁性体コア２の芯部２３の延びている方向（第一方向の一例）とは異なっていてもよい。例えば、第三導電端子７が第一鍔部２１の第二部分２１２に対して後方から装着される構成が採用されうる。
【０１２１】
上記の実施形態においては、第四導電端子８の第一挟持部８１と第二挟持部８２が中間部８３から延びている方向（第三方向の一例）は、第一磁性体コア２の芯部２３の延びている方向（第一方向の一例）と一致している。このような構成によれば、ガイド面２２ｂを形成するための第二鍔部２２の形状を簡略化できる。したがって、上述の効果に加えて、製造コストを抑制できる。しかしながら、第四導電端子８の第一挟持部８１と第二挟持部８２が中間部８３から延びている方向と、第一磁性体コア２の芯部２３の延びている方向（第一方向の一例）とは異なっていてもよい。例えば、第四導電端子８が第二鍔部２２の第二部分２２２に対して後方から装着される構成が採用されうる。
【０１２２】
上記の実施形態においては、第一導電端子４の第一挟持部４１が第一爪部４４を有しており、第二挟持部４２が第二爪部４５を有している。しかしながら、第一磁性体コア２の第一鍔部２１における第一部分２１１に対して所望の挟持機能が発揮できれば、第一爪部４４と第二爪部４５の一方は省略されうる。この場合、第一部分２１１に形成された第一凹部２１１ｂと第二凹部２１１ｄのうち、省略される第一爪部４４と第二爪部４５に対応する一方の凹部も省略される。
【０１２３】
上記の実施形態においては、第二導電端子５の第一挟持部５１が第一爪部５４を有しており、第二挟持部５２が第二爪部５５を有している。しかしながら、第一磁性体コア２の第二鍔部２２における第一部分２２１に対して所望の挟持機能が発揮できれば、第一爪部５４と第二爪部５５の一方は省略されうる。この場合、第一部分２２１に形成された第一凹部２２１ｂと第二凹部２２１ｄのうち、省略される第一爪部５４と第二爪部５５に対応する一方の凹部も省略される。
【０１２４】
上記の実施形態においては、第三導電端子７の第一挟持部７１が第一爪部７４を有しており、第二挟持部７２が第二爪部７５を有している。しかしながら、第一磁性体コア２の第一鍔部２１における第二部分２１２に対して所望の挟持機能が発揮できれば、第一爪部７４と第二爪部７５の一方は省略されうる。この場合、第二部分２１２に形成された第一凹部２１２ｂと第二凹部２１２ｄのうち、省略される第一爪部７４と第二爪部７５に対応する一方の凹部も省略される。
【０１２５】
上記の実施形態においては、第四導電端子８の第一挟持部８１が第一爪部８４を有しており、第二挟持部８２が第二爪部８５を有している。しかしながら、第一磁性体コア２の第二鍔部２２における第二部分２２２に対して所望の挟持機能が発揮できれば、第一爪部８４と第二爪部８５の一方は省略されうる。この場合、第二部分２２２に形成された第一凹部２２２ｂと第二凹部２２２ｄのうち、省略される第一爪部８４と第二爪部８５に対応する一方も省略される。
【０１２６】
第一導電端子４には絡げ部が形成されうる。この場合、第一コイル３を形成する第一導線の第一端部を当該絡げ部に巻き付けた後で、はんだ付けや溶接が行なわれる。
【０１２７】
第二導電端子５には絡げ部が形成されうる。この場合、第一コイル３を形成する第一導線の第二端部を当該絡げ部に巻き付けた後で、はんだ付けや溶接が行なわれる。
【０１２８】
第三導電端子７には絡げ部が形成されうる。この場合、第二コイル６を形成する第二導線の第一端部を当該絡げ部に巻き付けた後で、はんだ付けや溶接が行なわれる。
【０１２９】
第四導電端子８には絡げ部が形成されうる。この場合、第二コイル６を形成する第二導線の第二端部を当該絡げ部に巻き付けた後で、はんだ付けや溶接が行なわれる。
【符号の説明】
【０１３０】
１：インダクタ、２：第一磁性体コア、２１：第一鍔部、２１ａ：ガイド面、２１ｂ：ガイド面、２１１：第一部分、２１１ｂ：第一凹部、２１１ｄ：第二凹部、２１２：第二部分、２１２ｂ：第一凹部、２１２ｄ：第二凹部、２２：第二鍔部、２２ａ：ガイド面、２２ｂ：ガイド面、２２１：第一部分、２２１ｂ：第一凹部、２２１ｄ：第二凹部、２２２：第二部分、２２２ｂ：第一凹部、２２２ｄ：第二凹部、２３：芯部、３：第一コイル、４：第一導電端子、４１：第一挟持部、４１ａ：切欠き、４２：第二挟持部、４２ａ：切欠き、４３：中間部、４４：第一爪部、４４ａ：傾斜した端縁、４５：第二爪部、４５ａ：傾斜した端縁、５：第二導電端子、５１：第一挟持部、５１ａ：切欠き、５２：第二挟持部、５２ａ：切欠き、５３：中間部、５４：第一爪部、５４ａ：傾斜した端縁、５５：第二爪部、５５ａ：傾斜した端縁、６：第二コイル、７：第三導電端子、７１：第一挟持部、７１ａ：切欠き、７２：第二挟持部、７２ａ：切欠き、７３：中間部、７４：第一爪部、７４ａ：傾斜した端縁、７５：第二爪部、７５ａ：傾斜した端縁、８：第四導電端子、８１：第一挟持部、８１ａ：切欠き、８２：第二挟持部、８２ａ：切欠き、８３：中間部、８４：第一爪部、８４ａ：傾斜した端縁、８５：第二爪部、８５ａ：傾斜した端縁、９：第二磁性体コア、９ａ：第一部分、９ｂ：第二部分
【図１】
0006435760.tif 000002
【図２】
0006435760.tif 000003
【図３】
0006435760.tif 000004
【図４】
0006435760.tif 000005
【図５】
0006435760.tif 000006
【図６】
0006435760.tif 000007
【図７】
0006435760.tif 000008